【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
サーバデバイスによって実装される方法において、
ユーザに登録されているクライアントデバイスによってアクセス可能なメディア資産に対するグローバルメタデータであって、前記クライアントデバイスの少なくとも１つから離れて配置された前記メディア資産の１つ以上のインスタンスに対応するグローバルメタデータのグローバルメディアカタログを保持するステップと、
クライアントデバイスを、前記クライアントデバイスから離れて保持されている前記グローバルメディアカタログに関連付けられたユーザ識別子に基づいて、前記ユーザに登録するステップと、 
前記登録に応答して、前記クライアントデバイスに記憶されているローカルメディア資産に対するローカルメタデータを、前記グローバルメディアカタログの中の前記グローバルメタデータと統合するステップであって、少なくとも１つのメディア資産が他のデバイスに対して実行されないことを示しているデジタル権利管理情報に基づいて、前記クライアントデバイス上に記憶された前記少なくとも１つのメディア資産に対するメタデータを除外することを含む、統合するステップと、
前記ユーザに登録された前記クライアントデバイスに受信されるように、前記グローバルメタデータを前記グローバルメディアカタログから通信するステップであって、前記グローバルメディアカタログからの前記グローバルメタデータは前記クライアントデバイスによって要求可能なメディア資産を示しており、前記クライアントデバイスが、前記グローバルメタデータによって識別されおよび前記クライアントデバイスの異なる１つの上に記憶されたメディア資産に対する要求を開始して、前記クライアントデバイスを経由して要求されたとき、前記メディア資産が前記クライアントデバイスの前記異なる１つから前記クライアントデバイスへ提供されるようにする、通信するステップと
を備えることを特徴とする方法。
【請求項２】
前記クライアントデバイス上に記憶されている前記ローカルメディア資産に対する前記ローカルメタデータへの変更の指示を受信するステップと、 
前記ローカルメタデータへの前記変更に基づいて、前記グローバルメディアカタログへの更新を開始するステップと、
前記グローバルメディアカタログへの前記更新に応答して、前記ローカルメタデータへの前記変更に関連付けられたメタデータを、前記ユーザ識別子に関連付けられ、および、前記クライアントデバイスから離れた追加のクライアントデバイスによって受信されるように通信することを開始するステップと
をさらに備えることを特徴とする請求項１に記載の方法。
【請求項３】
前記グローバルメタデータによって識別され、および、前記クライアントデバイスから離れて配置されている前記メディア資産に対する要求を前記クライアントデバイスから受信するステップと、
前記クライアントデバイスから離れて保持されているキューへの前記メディア資産のアップロードを開始するステップと、
前記クライアントデバイスから離れて保持されているキューから、前記メディア資産を前記クライアントデバイスによって受信されるように通信するステップと
をさらに備えることを特徴とする請求項１に記載の方法。
【請求項４】
前記クライアントデバイスから離れて保持されている前記キューから前記メディア資産の削除を開始するステップをさらに備えることを特徴とする請求項３に記載の方法。
【請求項５】
前記グローバルメタデータによって識別され、および、前記クライアントデバイスから離れて配置されている前記メディア資産に対する要求を前記クライアントデバイスから受信するステップと、
前記クライアントデバイスはオフラインであるという判断に応答して、前記クライアントデバイスから離れて保持されているキューに、前記メディア資産を保留するステップと、
前記クライアントデバイスはオンラインであるという判断に応答して、前記クライアントデバイスによって受信されるように、前記メディア資産の通信を開始するステップと
をさらに備えることを特徴とする請求項１に記載の方法。
【請求項６】
前記グローバルメタデータに識別され、および、前記クライアントデバイスから離れて配置された前記メディア資産に対する要求を、前記クライアントデバイスから受信するステップと、
メディア資産の前記インスタンスを、前記クライアントデバイスがサポートしているメディアフォーマットにトランスコードするステップと
をさらに備えることを特徴とする請求項１に記載の方法。
【請求項７】
前記メディア資産の消費に関連付けられた１つ以上のユーザプリファレンスの表示を前記クライアントデバイス上で受信するステップと、
前記１つ以上のユーザプリファレンスに対応するグローバルメタデータを検索するステップと、
前記１つ以上のユーザプリファレンスに対応する前記グローバルメタデータに関連付けられた前記メディア資産の１つ以上を、前記クライアントデバイスによる消費のために利用できるようにするステップと
をさらに備えることを特徴とする請求項１に記載の方法。
【請求項８】
前記１つ以上のユーザプリファレンスに対応する前記グローバルメタデータに関連付けられた前記１つ以上のメディア資産を、前記クライアントデバイスにストリーミングするステップをさらに備えることを特徴とする請求項７に記載の方法。
【請求項９】
前記１つ以上のユーザプリファレンスに対応する前記グローバルメタデータに関連付けられた前記１つ以上のメディア資産を、前記クライアントデバイスにダウンロードするステップをさらに備えることを特徴とする請求項７に記載の方法。
【請求項１０】
ユーザに登録されている１つ以上のクライアントデバイスによってアクセス可能なメディア資産のグローバルメタデータであって、前記１つ以上のクライアントデバイスの少なくとも１つから離れて配置される前記メディア資産の１つ以上のインスタンスに対応するグローバルメタデータのグローバルメディアカタログを管理するように構成された、少なくとも１つのメモリおよびプロセッサと、
グローバルメディアマネージャーとを備えたサーバシステムであって、
前記グローバルメディアマネージャーは、
前記クライアントデバイスから離れて保持されている前記グローバルメディアカタロ
グに関連付けられたユーザ識別子に基づいて、クライアントデバイスを前記ユーザに登録
し、
前記クライアントデバイスを前記ユーザに登録するのに応答して、前記クライアントデバイスに記憶されているローカルメディア資産のインスタンスのローカルメタデータを、前記グローバルメディアカタログの中の前記グローバルメタデータに統合し、前記統合することは、前記グローバルメタデータから、デジタル権利管理情報に従って他のデバイスによって消費されることの無い前記クライアントデバイスに記憶された前記ローカルメディア資産の１つ以上のインスタンスに対するローカルメタデータを除外する、前記ローカルメタデータのフィルタリングを含み、および、 
前記クライアントデバイスに記憶されているローカルメディア資産のインスタンスの前記ローカルメタデータを、前記グローバルメディアカタログの中の前記グローバルメタデータに統合するのに応答して、前記グローバルメディアカタログから、前記ユーザに登録されている前記１つ以上のクライアントデバイスに前記グローバルメタデータの通信を開始して、前記グローバルメディアカタログからの前記グローバルメタデータは前記クライアントデバイスによって要求可能なメディア資産を示しており、前記クライアントデバイスが、前記グローバルメタデータによって識別されおよび前記クライアントデバイスの異なる１つの上に記憶されたメディア資産に対する要求を開始して、前記クライアントデバイスを経由して要求されたとき、前記メディア資産が前記クライアントデバイスの前記異なる１つから前記クライアントデバイスへ提供されるようにする
よう構成されていることを特徴とするサーバシステム。
【請求項１１】
前記グローバルメタデータによって識別される前記メディア資産に対する前記クライアントデバイスからの前記要求に応答して、前記グローバルメタデータによって識別される前記メディア資産を受信するように構成されたグローバルメディアキューをさらに備えたことを特徴とする請求項１０に記載のサーバシステム。
【請求項１２】
前記グローバルメディアマネージャーは、 
前記グローバルメタデータによって識別され、および、前記クライアントデバイスから離れて配置された前記メディア資産に対する要求を前記クライアントデバイスから受信し、
前記ユーザ識別子に関連付けられ、および、前記クライアントデバイスから離れて配置された追加のクライアントデバイスに、前記メディア資産に対する前記要求を通信し、ならびに、
前記クライアントデバイスが前記メディア資産を利用できるようにさらに構成されていることを特徴とする請求項１０に記載のサーバシステム。
【請求項１３】
前記グローバルメディアマネージャーは、 
前記グローバルメタデータによって識別され、前記クライアントデバイスから離れて配置されている前記メディア資産に対する、前記クライアントデバイスからの要求を受信し、
前記デジタル権利管理情報が、前記メディア資産が前記クライアントデバイスによって消費されることがあるかを示しているかどうかを決定する
ようにさらに構成されていることを特徴とする請求項１０に記載のサーバシステム。
【請求項１４】
前記グローバルメディアマネージャーは、 
前記クライアントデバイスから離れた追加のクライアントデバイスを登録するための要求であって、前記グローバルメディアカタログに関連付けられた前記ユーザ識別子を含む要求を受信し、
前記追加のクライアントデバイスに記憶されているローカルメディア資産のインスタンスに対するローカルメタデータを、前記グローバルメディアカタログの中の前記グローバルメタデータに統合し、および、
前記グローバルメディアカタログから前記追加のクライアントデバイスに前記グローバ
ルメタデータの通信を開始するようにさらに構成されていることを特徴とする請求項１０
に記載のサーバシステム。
【請求項１５】
前記グローバルメディアマネージャーは、 
前記クライアントデバイス上でのメディア資産消費に基づいて、１つ以上のユーザプリファレンスの表示を受信し、
前記ユーザプリファレンスに対応するメディア資産の１つ以上のインスタンスを、前記グローバルメタデータに基づいて判定し、および、
前記ユーザプリファレンスに対応する前記メディア資産の前記１つ以上のインスタンスを、前記ユーザ識別子に関連付けられた前記１つ以上のクライアントデバイスによる消費のために利用可能とするようにさらに構成されていることを特徴とする請求項１０に記載のサーバシステム。
【請求項１６】
前記グローバルメディアマネージャーは、
前記グローバルメタデータによって識別され、および、前記クライアントデバイスから離れて配置された前記メディア資産に対する要求を、前記クライアントデバイスから受信し、 
前記クライアントデバイスはオフラインであるという判断に応答して、前記グローバルメディアマネージャーによって保持されるグローバルメディアキューに、前記メディア資産を保留し、ならびに、
前記クライアントデバイスはオンラインであるという判断に応答して、前記クライアントデバイスで受信するために、前記グローバルメディアキューから前記メディア資産の通信を開始するようにさらに構成されていることを特徴とする請求項１０に記載のサーバシステム。
【請求項１７】
請求項１乃至９いずれかに記載の方法を実行するコンピュータ実行可能命令を記憶したコンピュータ読取り可能記憶媒体。